(57)【要約】【課題】フィット性をより向上できる吸収性物品を提供する。【解決手段】吸収性物品（10）は、互いに直交する前後方向（L）及び幅方向(W)と、吸収コア(50)と、を有する。吸収性物品は、吸収性物品の前後方向の中心である物品中心(10CL)よりも前側において幅方向に延びる折り目を基点に折り畳まれる。吸収コアには、周囲よりも剛性が低く、かつ幅方向に間隔を空けて配置された一対の低剛性領域(52)が設けられている。低剛性領域は、折り目を跨っている。折り目よりも前側の低剛性領域には、折り目よりも後側の低剛性領域の最大幅よりも短い幅である幅狭部（52N）が設けられている。【選択図】図１
2020010851.tif 000002
【特許請求の範囲】
【請求項１】
互いに直交する前後方向及び幅方向と、
吸収コアと、を有し、
吸収性物品の前記前後方向の中心である物品中心よりも前側において幅方向に延びる折り目を基点に折り畳まれる吸収性物品であって、
前記吸収コアには、周囲よりも剛性が低く、かつ前記幅方向に間隔を空けて配置された一対の低剛性領域が設けられており、
前記低剛性領域は、前記折り目を跨っており、
前記折り目よりも前側の前記低剛性領域には、前記折り目よりも後側の低剛性領域の最大幅よりも短い幅である幅狭部が設けられている、吸収性物品。
【請求項２】
前記幅狭部の幅方向の長さは、後側から前側に向かって短くなっている、請求項１に記載の吸収性物品。
【請求項３】
前記幅狭部の内側縁は、後側から前側に向かって前記幅方向の外側に延びている、請求項１又は請求項２に記載の吸収性物品。
【請求項４】
前記低剛性領域は、前記吸収コアに形成されたスリットである、請求項１から請求項３のいずれか１項に記載の吸収性物品。
【請求項５】
前記吸収コアには、前記一対の低剛性領域の間において、前後方向の延びる中央スリットが形成されており、
前記中央スリットの前端縁は、前記折り目よりも後側に位置する、請求項４に記載の吸収性物品。
【請求項６】
前記吸収性物品は、前記吸収コアの肌面側に位置する表面シートと、前記表面シートの肌面側に位置し、かつ前記幅方向に間隔を空けて配置された一対の防漏ギャザーと、を有し、
前記防漏ギャザーは、防漏弾性部材の収縮によって起立する起立部を有し、
前記起立部は、前記折り目を跨っている、請求項１から請求項５のいずれか１項に記載の吸収性物品。
【請求項７】
前記防漏弾性部材は、前記低剛性領域よりも前記幅方向の外側において前記吸収コアと厚さ方向において重なっている、請求項６に記載の吸収性物品。
【請求項８】
前記吸収性物品の伸長状態において、前記起立部の起立支点となる基点部は、前記起立部よりも前側において前記起立部の外側縁よりも前記幅方向の内側に位置する、請求項６又は請求項７に記載の吸収性物品。
【請求項９】
前記吸収コアよりも前記幅方向の外側において前記前後方向に伸縮する脚回り弾性部材を有し、
前記脚回り弾性部材は、前記折り目を跨っており、
前記脚回り弾性部材の前端縁は、前記防漏弾性部材の前端縁よりも後側に位置する、請求項６から請求項８のいずれか１項に記載の吸収性物品。
【発明の詳細な説明】
【技術分野】
【０００１】
本発明は、使い捨ておむつのような吸収性物品に関する。
【背景技術】
【０００２】
特許文献１には、前後方向に延びる一対の低剛性領域を有する吸収性物品が開示されている。低剛性領域は、前後方向に沿って延びている。このように構成された吸収性物品では、股下域に排出された体液を低剛性領域によって前後方向に拡散するように構成されている。
【先行技術文献】
【特許文献】
【０００３】
【特許文献１】特開平９−５１９１３号公報
【発明の概要】
【０００４】
特許文献１のような吸収性物品は、一般的に使用前に幅方向に延びる折り目を基点に肌面側同士が向き合うように折り畳まれている。折り目を基点に折り畳まれていることにより、吸収性物品には、折り癖が形成される。折り目よりも前側の領域は、折り癖によって着用者側に立ち上がり、身体にフィットし易くなる。しかし、吸収性物品において比較的剛性が高い吸収コアの剛性によって吸収性物品が立ち上がり難くなることがあり、更なるフィット性の向上が求められている。
【０００５】
よって、フィット性をより向上できる吸収性物品を提供することを目的とする。
【課題を解決するための手段】
【０００６】
一態様に係る吸収性物品は、互いに直交する前後方向及び幅方向と、吸収コアと、を有し、前記吸収性物品の前記前後方向の中心である物品中心よりも前側において幅方向に延びる折り目を基点に折り畳まれる吸収性物品であって、前記吸収コアには、周囲よりも剛性が低く、かつ前記幅方向に間隔を空けて配置された一対の低剛性領域が設けられており、前記低剛性領域は、前記折り目を跨っており、前記折り目よりも前側の前記低剛性領域には、前記折り目よりも後側の低剛性領域の最大幅よりも短い幅である幅狭部が設けられている。
【図面の簡単な説明】
【０００７】
【図１】実施の形態に係る吸収性物品を肌面側から見た平面図である。
【図２】実施の形態に係る吸収コアを肌面側から見た平面図である。
【図３】図１に示すＡ−Ａ線に沿った断面図である。
【図４】着用時の吸収コアの変形態様を示す図である。
【図５】Ａ−Ａ線に沿った断面の吸収コアの変形態様を示す図である。
【図６】Ｂ−Ｂ線に沿った断面の吸収コアの変形態様を示す図である。
【０００８】
（１）実施形態の概要
本明細書及び添付図面の記載により、少なくとも以下の事項が明らかとなる。
一態様に係る吸収性物品は、互いに直交する前後方向及び幅方向と、吸収コアと、を有し、前記吸収性物品の前記前後方向の中心である物品中心よりも前側において幅方向に延びる折り目を基点に折り畳まれる吸収性物品であって、前記吸収コアには、周囲よりも剛性が低く、かつ前記幅方向に間隔を空けて配置された一対の低剛性領域が設けられており、前記低剛性領域は、前記折り目を跨っており、前記折り目よりも前側の前記低剛性領域には、前記折り目よりも後側の低剛性領域の最大幅よりも短い幅である幅狭部が設けられている。
【０００９】
吸収性物品における折り目よりも前側の領域は、折り癖によって着用者側に立ち上がり、身体にフィットし易くなる。このとき、折り目よりも前側の領域は、幅狭部を有し、折り目よりも後側に位置する領域よりも剛性が高くなる。折り目を挟んだ前側の領域と後側の領域に剛性差が生じ、折り目を基点に折れ曲がり易くなる。よって、前後方向に沿った断面における身体の丸みに吸収性物品がより沿い易くなり、フィット性を高めることができる。
【００１０】
また、低剛性領域は、吸収コアが厚さ方向に変形する変形基点となる。低剛性領域を基点に吸収コアが変形することにより、吸収コアの外側縁が吸収コアの幅方向の中央に対して着用者側に立ち上がり易くなる。よって、幅方向に沿った断面における身体の丸みに沿って吸収コアが配置され易くなる。これにより、幅方向に沿った断面及び前後方向に沿った断面において身体を覆うカップ形状に吸収コアが変形し、フィット性をより向上できる。
【００１１】
好ましい一態様によれば、前記幅狭部の幅方向の長さは、後側から前側に向かって短くなってよい。
【００１２】
本態様によれば、幅狭部の幅方向の長さが前側に向かって短くなるため、折り目よりも前側において、広い範囲で吸収コアによって身体を覆うことができる。吸収コアの幅方向の長さを確保し、折り目よりも前側の領域における漏れを抑制できる。
【００１３】
好ましい一態様によれば、前記幅狭部の内側縁は、後側から前側に向かって前記幅方向の外側に延びてよい。
【００１４】
本態様によれば、低剛性領域を基点に吸収コアが変形した際に、低剛性領域によって挟まれた領域の幅は、前側に向かって長くなる。折り目から前側に向かって立ち上がる吸収コアの幅方向の長さが長くなり、腹部を覆うカップ形状をより形成し易くなる。
【００１５】
好ましい一態様によれば、前記低剛性領域は、前記吸収コアに形成されたスリットであってよい。
【００１６】
本態様によれば、吸収コアは、着用時に幅方向の内側に向かう力が掛かった際に、スリットからなる低剛性領域によって幅方向の内側に入り込むことができる。幅方向の内側に入り込む長さは、前側に向かって短くなる。よって、折り目から前側に向かって立ち上がる吸収コアの幅方向の長さが長くなり、腹部を覆うカップ形状をより形成し易くなる。
【００１７】
好ましい一態様によれば、吸収コアには、一対の低剛性領域の間において、前後方向の延びる中央スリットが形成されており、中央スリットの前端縁は、折り目よりも後側に位置してよい。
【００１８】
本態様によれば、前後方向に沿った断面において、中央スリットの前端縁を基点に吸収コアが変形し易くなる。中央スリットの前端縁は、折り目よりも後側に配置されており、折り目よりも後側に中央スリットの前端縁による変形基点が形成される。これにより、折り目による変形基点を安定させ、カップ形状を維持し易くなる。
【００１９】
好ましい一態様によれば、前記吸収性物品は、前記吸収コアの肌面側に位置する表面シートと、前記表面シートの肌面側に位置し、かつ前記幅方向に間隔を空けて配置された一対の防漏ギャザーと、を有し、前記防漏ギャザーは、防漏弾性部材の収縮によって起立する起立部を有し、前記起立部は、前記折り目を跨ってよい。
【００２０】
本態様によれば、防漏弾性部材の収縮によって、折り目を挟んだ前側の領域と後側の領域が身体側に近づくように変形し易い。よって、前後方向に沿った断面における身体の丸みに沿って吸収コアを配置し易い。また、幅方向に間隔を空けて配置された防漏ギャザーの収縮によって、吸収コアの外側部を身体に近づけることができる。よって、幅方向に沿った断面における身体の丸みに沿っても吸収コアを配置し易い。身体に対して吸収コアがよりフィットし、漏れを抑制できる。
【００２１】
好ましい一態様によれば、前記防漏弾性部材は、前記低剛性領域よりも前記幅方向の外側において前記吸収コアと厚さ方向において重なってよい。
【００２２】
本態様によれば、低剛性領域よりも幅方向の外側の吸収コアは、防漏弾性部材の収縮によって幅方向の内側かつ肌面側に引っ張られる。幅方向に沿う断面における身体の丸みに沿うように吸収コアを配置でき、よりフィット性を向上できる。また、低剛性領域よりも幅方向の外側の領域は、防漏弾性部材の収縮によって低剛性領域よりも幅方向の内側の領域に対して肌面側かつ幅方向の内側に移動し易くなる。吸収パッドを装着した場合、吸収パッドを身体に押し当てやすくなる。
【００２３】
好ましい一態様によれば、前記吸収性物品の伸長状態において、前記起立部の起立支点となる基点部は、前記起立部よりも前側において前記起立部の外側縁よりも前記幅方向の内側に位置してよい。
【００２４】
本態様によれば、防漏弾性部材の収縮によって起立部の外側縁は、肌面側に引っ張れるとともに、起立支点となる基点部側に向かって幅方向の内側に引っ張られる。よって、吸収コアの外側部が肌面側かつ幅方向の内側により配置され易くなる。
【００２５】
好ましい一態様によれば、前記吸収コアよりも前記幅方向の外側において前記前後方向に伸縮する脚回り弾性部材を有し、前記脚回り弾性部材は、前記折り目を跨っており、前記脚回り弾性部材の前端縁は、前記防漏弾性部材の前端縁よりも後側に位置してよい。
【００２６】
本態様によれば、脚回り弾性部材の収縮によって、折り目を挟んだ前側の領域と後側の領域が身体側に近づくように変形し易い。よって、前後方向に沿った断面における身体の丸みに沿って吸収コアを配置し易い。また、脚回り弾性部材の前端縁が防漏弾性部材の前端縁よりも後側に位置する。幅方向に沿う断面において、防漏弾性部材の収縮力が生じずに脚回り弾性部材の収縮力のみが生じる領域が発生しない。そのため、脚回り弾性部材の収縮によって防漏弾性部材が配置された領域が相対的に身体から離れることを抑制し、防漏弾性部材が身体にフィットし、当該防漏弾性部材から膨らむカップ形状を形成できる。
【００２７】
（２）吸収性物品の実施形態
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２８】
図１は、本実施形態に係る吸収性物品１０を肌面側から見た平面図であり、図２は、実施形態に係る吸収コア５０を肌面側から見た平面図である。図１及び図２に示す平面図は、吸収性物品１０を皺が形成されない状態まで伸張させた伸長状態を示している。図３は、図１に示すＡ−Ａ線に沿った断面図である。本実施の形態の吸収性物品１０は、展開型の大人用の吸収性物品であるが、これに限定されない。吸収性物品１０は、パンツ型の吸収性物品であってもよいし、子供用の吸収性物品であってもよい。
【００２９】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００３０】
吸収性物品１０は、前側域Ｓ１と、後側域Ｓ２と、股下域Ｓ３と、を有する。前側域Ｓ１は、使用時に着用者の身体前側に面する。後側域Ｓ２は、使用時に着用者の身体後側に面する。股下域Ｓ３は、前側域Ｓ１と後側域Ｓ２との間に位置し、使用時に着用者の股下に配置される。股下域Ｓ３は、吸収コア５０によって規定できる。具体的には、くびれ部５１を有する吸収コア５０においては、吸収コア５０のくびれ部５１が形成された領域が、股下域Ｓ３の前後方向Ｌの領域となる。くびれ部５１を有しない吸収コア５０においては、吸収コア５０の前後方向の長さを三等分したうちの中央の領域が、股下域Ｓ３の前後方向Ｌの領域となる。本実施の形態では、吸収コア５０のくびれ部５１の前端縁が、股下域Ｓ３と前側域Ｓ１の境界を規定し、吸収コアのくびれ部５１の後端縁が、股下域Ｓ３と後側域Ｓ２の境界を規定している。吸収性物品１０の前後方向Ｌの中心である物品中心１０ＣＬを有する。物品中心１０ＣＬは、股下域Ｓ３に位置する。
【００３１】
吸収性物品１０は、使用前の状態において、幅方向に延びる折り目ＦＬを基点に折り畳まれていてよい。具体的には、吸収性物品１０は、物品中心１０ＣＬよりも前側において幅方向に延びる折り目ＦＬを基点に、吸収性物品の肌面側同士が向き合うように折り畳まれている。折り目ＦＬを基点に折り畳まれた吸収性物品１０は、折り癖がつき、使用時に前側域Ｓ１が着用者側に立ち上がり易くなる。以下、説明の便宜上、折り目ＦＬよりも前側の領域を第３領域Ｒ３とし、折り目ＦＬよりも後側の領域を第４領域Ｒ４とする。また、吸収性物品１０は、使用前の状態において、物品中心１０ＣＬよりも後側において幅方向に延びる折り目を基点に折り畳まれてもよい。
【００３２】
吸収性物品１０は、脚回り開口部６５を有する。脚回り開口部６５は、吸収性物品の本体部（吸収性物品において後述するファスニングテープ９４を除いた部分）の外側縁において幅方向Ｗの内側に凹んだ部分である。なお、本実施の形態において外側縁は、幅方向の外側の端縁であり、内側縁は、幅方向の内側の端縁である。
【００３３】
吸収性物品１０は、少なくとも股下域Ｓ３及び前側域Ｓ１に配置された吸収コア５０を有する。吸収コア５０は、股下域Ｓ３から前側域Ｓ１及び後側域Ｓ２へ延びていてよい。吸収コア５０は、例えば粉砕パルプもしくは高吸収性ポリマー（ＳＡＰ）、又はこれらの混合物を含む吸収材料の積層体であってよい。図３に示すように、吸収性物品１０は、吸収コア５０と、コアラップ５６と、を含む吸収体を有してよい。コアラップ５６は、吸収コア５０の肌面側と非肌面側を覆うように配置され、例えば、ティッシュや不織布シートであってよい。吸収コア５０の構成については、後述にて詳細に説明する。
【００３４】
図３及び図４に示すように、吸収性物品１０は、吸収コア５０の肌面側Ｔ１に位置する肌面シート４１と、吸収コア５０の非肌面側Ｔ２に位置する非肌面シート４２と、を有してよい。肌面シート４１は、表面シート４１ａと、サイドシート４１ｂと、を有してよい。表面シート４１ａは、液透過性を有し、吸収コア５０の少なくとも幅方向Ｗの中心を覆うように配置されてよい。サイドシート４１ｂは、疎水性を有する不織布からなり、吸収コア５０の幅方向Ｗの中心よりも幅方向Ｗの外側において、幅方向Ｗにおける表面シート４１ａの両側部を覆うように配置されてよい。非肌面シート４２は、液不透過性を有し、吸収コア５０よりも非肌面側に設けられてよい。非肌面シート４２は、液不透過性のバックフィルム４２ａと、バックフィルム４２ａの非肌面側Ｔ２に配置されたバック不織布４２ｂと、を有してよい。
【００３５】
吸収性物品１０は、起立性の防漏ギャザー６０を有してよい。防漏ギャザー６０は、幅方向に間隔を空けて一対で配置されている。防漏ギャザー６０は、表面シート４１ａの肌面側に位置し、表面シート４１ａに対して起立可能である。防漏ギャザー６０は、防漏弾性部材６６の収縮によって起立する起立部６１と、起立部６１の立ち上がりの基点となる基点部６２と、を有する。基点部６２は、起立部６１よりも幅方向Ｗの外側に位置する第１基点部６２ａ（図３参照）と、起立部６１よりも前後方向Ｌの外側に位置する第２基点部６２ｂ（図１参照）と、を有してよい。防漏弾性部材６６は、サイドシート４１ｂの内側縁に配置されており、サイドシート４１ｂの内側縁を着用者側に起立させる。
【００３６】
吸収性物品１０は、脚回り開口部６５に配置される脚回り弾性部材６７を有してよい。脚回り弾性部材６７は、吸収コア５０よりも幅方向Ｗの外側において前後方向に伸縮する。脚回り弾性部材６７は、左右それぞれに配置された２本の糸ゴムによって構成されており、前後方向に伸長された状態で肌面シート４１と非肌面シート４２の間に固定されている。脚回り弾性部材６７は、脚回り開口部６５に沿って配置されており、脚回り開口部６５を着用者の脚回りにフィットさせる。脚回り弾性部材６７は、サイドシート４１ｂとバックフィルム４２ａの間に配置されている。防漏弾性部材６６及び脚回り弾性部材６７は、前後方向Ｌに伸縮可能であり、前後方向Ｌに沿って配置されてよい。
【００３７】
吸収性物品１０は、後側域Ｓ２の幅方向Ｗの両外側部に設けられたファスニングテープ９４を有してよい。ファスニングテープ９４は、後側域Ｓ２において本体部から幅方向の外側に延出している。ファスニングテープ９４は、後側域Ｓ２の肌面シート４１及び非肌面シート４２に接合されるベース部９５と、ベース部９５に固定され、かつ前側域Ｓ１の非肌面に係合する係合部９６と、を有してよい。
【００３８】
次いで、吸収コア５０の構成について詳細に説明する。吸収コア５０には、低剛性領域５２が形成されてよい。低剛性領域５２は、周囲の吸収コアよりも剛性が低い領域であり、吸収コア５０が変形し易い領域である。低剛性領域５２は、吸収コア５０の吸収材料の坪量が周囲よりも低い低坪量領域、及び吸収コア５０に形成されたスリットのいずれかによって構成されている。本実施の形態の低剛性領域５２は、スリットによって構成されている。また、吸収コア５０は、低剛性領域５２の間において前後方向Ｌに延びる中央スリット５５を有してよい。スリットは、吸収コア５０を構成する吸収材料が実質的に配置されていない部分である。スリットは、吸収材料の坪量が０の部分又は周囲からの零れた吸収材料が配置されているが、設計上の吸収材料が０の部分である。
【００３９】
図２に示すように、吸収コア５０は、一対の低剛性領域５２によって挟まれた第１領域Ｒ１と、低剛性領域５２と吸収コア５０の外側縁５０Ｓの間に位置する第２領域Ｒ２と、を有してよい。図２において、第１領域Ｒ１及び第２領域Ｒ２に異なる斜線を付して示す。第２領域Ｒ２は、各低剛性領域５２の幅方向Ｗの外側に位置し、一対で設けられている。第１領域Ｒ１及び第２領域Ｒ２は、低剛性領域５２から幅方向Ｗに沿って延びる領域である。中央スリット５５の少なくとも一部は、第１領域Ｒ１に配置されてよい。
【００４０】
中央スリット５５は、幅方向Ｗにおいて低剛性領域５２の間に位置し、かつ前後方向Ｌに延びてよい。中央スリット５５は、幅方向において低剛性領域５２と離間してよい。中央スリット５５の少なくとも一部は、股下域Ｓ３に配置されてよい。中央スリット５５の前端縁５５Ｆは、股下域Ｓ３に配置され、中央スリット５５の後端縁５５Ｒは、後側域Ｓ２に配置されてよい。中央スリット５５は、物品中心１０ＣＬを跨っており、かつ物品中心１０ＣＬから後側に向かって延びている。中央スリット５５は、低剛性領域５２よりも後側に偏倚してよい。中央スリット５５の前端縁５５Ｆは、低剛性領域５２の前端縁５２Ｆよりも後側に位置してよい。中央スリット５５の後端縁５５Ｒは、低剛性領域５２の後端縁５２Ｒよりも後側に位置してよい。中央スリット５５は、少なくとも前後方向Ｌに延びていればよく、前後方向Ｌに沿っていてもよいし、前後方向Ｌに対して傾斜する部分を有してもよい。
【００４１】
低剛性領域５２は、幅方向Ｗに間隔を空けて一対で設けられ、少なくとも股下域Ｓ３に配置されてよい。低剛性領域５２の前端縁５２Ｆは、前側域Ｓ１に配置され、低剛性領域５２の後端縁５２Ｒは、股下域Ｓ３に配置されてよい。低剛性領域５２は、少なくとも前後方向Ｌに延びていればよく、前後方向Ｌに沿っていてもよいし、前後方向Ｌに対して傾斜する部分を有してもよい。低剛性領域５２は、吸収コア５０の幅方向Ｗの中心に設けられなく、吸収コア５０の幅方向Ｗの中心に対して対称に一対で設けられてよい。
【００４２】
図２に示すように、低剛性領域５２は、折り目ＦＬを跨がっている。折り目ＦＬよりも前側の第３領域Ｒ３の低剛性領域５２には、折り目ＦＬよりも後側の第４領域Ｒ４の低剛性領域５２の最大幅よりも短い幅である幅狭部５２Ｎが設けられている。低剛性領域５２は、幅広部５２Ｗと幅狭部５２Ｎを有する。幅広部５２Ｗは、低剛性領域５２の最大幅を有し、第３領域Ｒ３と第４領域Ｒ４に設けられてもよい。幅広部５２Ｗにおける低剛性領域５２の内側縁及び低剛性領域５２の外側縁は、前後方向に延びる直線状である。幅狭部５２Ｎは、幅広部５２Ｗよりも幅が狭く、かつ折り目ＦＬよりも前側に位置する部分である。図２において、幅広部５２Ｗと幅狭部５２Ｎに斜線を付して示す。幅狭部５２Ｎは、低剛性領域５２の前端縁５２Ｆに到達していてもよいし、低剛性領域５２の前端縁５２Ｆよりも後側に位置してもよい。本実施の形態の幅狭部５２Ｎは、低剛性領域５２の前後方向Ｌの中心５２ＣＬよりも前側のみに位置し、低剛性領域５２の前端縁５２Ｆに到達している。
【００４３】
図４は、着用時の吸収コアの変形態様を示す図である。図４（ａ）は、平面図であり、図４（ｂ）は、斜視図である。図４における二点鎖線は、変形前の吸収コア５０を示しており、実線は、変形後の吸収コア５０を示している。このように構成された吸収性物品１０が着用された状態では、折り目ＦＬの折り癖によって折り目ＦＬよりも前側の第３領域Ｒ３が第４領域Ｒ４に対して着用者側に立ち上がり、身体にフィットし易くなる。このとき、第３領域Ｒ３に幅狭部５２Ｎが配置されているため、第３領域Ｒ３の剛性は、第４領域Ｒ４の剛性よりも高くなる。具体的には、第３領域Ｒ３では、幅狭部５２Ｎが設けられているため、低剛性領域５２に起因する剛性の低減が少ない。一方、第４領域Ｒ４では、幅広部５２Ｗが設けられているため、低剛性領域５２に起因する剛性の低減が多い。その結果、折り目ＦＬを挟んだ第３領域Ｒ３と第４領域Ｒ４に剛性差が生じ、折り目ＦＬ基点に吸収性物品１０が折れ曲がり易くなる。よって、前後方向に沿った断面における身体の丸みに吸収性物品がより沿い易くなり、フィット性を高めることができる。
【００４４】
図５及び図６は、着用時に吸収体の変形状態を模式的に示した図である。図５は、Ａ−Ａ断面における吸収体の変形態様を模式的に示しており、図６は、Ｂ−Ｂ断面における吸収体の変形態様を示している。図５は、低剛性領域５２の幅広部５２Ｗを通る断面であり、図６は、低剛性領域５２の幅狭部５２Ｎを通る断面である。図５（ａ）は、着用時に幅方向Ｗの内側に向かう力がかかった状態であり、図５（ｂ）は、図５（ａ）に示す状態から更に幅方向Ｗの内側に向かう力がかかった状態を示している。図５（ｃ）は、図５（ｂ）の状態において吸収パッドＰを併用した状態を示している。図６（ａ）は、着用前の状態であり、図６（ｂ）は、着用時の状態を示している。図５（ｂ）及び図５（ｃ）において、着用者の身体のラインＢＬを模式的に示す。
【００４５】
図６（ｂ）に示すように、低剛性領域５２は、吸収コア５０が厚さ方向に変形する変形基点となる。図６（ｂ）及び図４の矢印Ｄに示すように、低剛性領域５２を基点に吸収コア５０が変形することにより、吸収コア５０の幅方向Ｗの中央に対して吸収コア５０の外側縁が着用者側に立ち上がり易くなる。よって、幅方向Ｗに沿った断面における身体の丸みに沿って吸収コア５０が配置され易くなる。よって、本実施の形態に吸収性物品によれば、幅方向Ｗに沿った断面及び前後方向に沿った断面において身体を覆うカップ形状に吸収コア５０が変形し、フィット性をより向上できる。
【００４６】
吸収性物品１０と吸収パッドＰを併用する場合には、吸収性物品の肌面シート４１上に吸収パッドを載せる。図６（ｂ）に示すように、着用時に幅方向Ｗの内側に向かう力が掛かった際に、吸収コア５０が低剛性領域５２を基点に厚さ方向に変形することにより、第２領域Ｒ２が第１領域Ｒ１に対して肌面側に立ち上がることがある。このように変形した吸収コア５０上に吸収パッドを配置することにより、吸収パッドの幅方向Ｗの中央に対して吸収コア５０の外側縁が着用者側に立ち上がり易くなる。よって、幅方向Ｗに沿った断面における身体の丸みに沿って吸収パッドが配置され易くなる。また、左右の低剛性領域５２の幅方向の離間距離が長い形態にあっては、吸収パッドＰの両側縁に対して第２領域Ｒ２が当たるように第２領域Ｒ２の空間に吸収パッドＰを装着することにより、吸収パッドＰを安定して保持できる。
【００４７】
また、上述のように、前後方向に沿った断面では、折り目ＦＬを基点に吸収性物品が変形する。幅方向Ｗ及び前後方向Ｌにおいて変形基点が形成され、吸収コア５０が身体を覆うようなカップ形状を形成し易い。当該カップ形状の内側に吸収パッドを配置することにより、安定して吸収パッドを保持できる。
【００４８】
図５（ｂ）に示すように、吸収コア５０が低剛性領域５２を基点に変形することにより、第２領域Ｒ２が第１領域Ｒ１に対して肌面側Ｔ１に移動することがある。第２領域Ｒ２が第１領域Ｒ１の肌面側Ｔ１に位置することにより、吸収パッドＰの外側部を身体に押し上げることができる。よって、吸収パッドによって臀部の膨らみを覆うことができる。また、第２領域Ｒ２の幅方向Ｗの離間距離が長い形態にあっては、吸収パッドＰの両側縁に対して第２領域Ｒ２が当たるように第２領域Ｒ２の空間に吸収パッドＰを装着することにより、吸収パッドＰを安定して保持できる。
【００４９】
吸収性物品には、着用時に防漏ギャザー６０の起立部６１によって肌側に引き上げる力がかかる。防漏ギャザーの起立部６１は、吸収性物品の伸長状態において、第２領域Ｒ２と厚さ方向Ｔにおいて重なってよい。着用時に脚によって挟まれることにより、吸収コア５０には、幅方向Ｗの内側に向かう力がかかる。このとき、吸収コア５０の第２領域Ｒ２は、起立部６１の収縮によって幅方向Ｗの内側かつ肌面側に引っ張られる。着用時に幅方向Ｗの内側に向かう力がかかった際に、第２領域Ｒ２が第１領域Ｒ１の肌面側Ｔ１（図５（ａ）の矢印Ｂ）かつ幅方向Ｗの内側（図５（ａ）の矢印Ａ）に引っ張られる。よって、第２領域Ｒ２が第１領域Ｒ１の肌面側Ｔ１かつ幅方向Ｗの内側に移動し、吸収パッドＰが身体側に押し上げられる。図５（ａ）に示す状態において、第２領域Ｒ２が第１領域Ｒ１の肌面側Ｔ１かつ幅方向Ｗの内側に更に移動することにより、図５（ｂ）に示す状態となる。図５（ｂ）に示す状態では、第１領域Ｒ１と第２領域Ｒ２が厚さ方向Ｔにおいて重なっており、股下域において吸収体の厚さがより厚くなっている。
【００５０】
幅狭部５２Ｎの幅方向Ｗの長さは、一定であってもよいし、変化していてもよい。幅狭部５２Ｎの幅方向Ｗの長さは、後側から前側に向かって短くなってよい。吸収コア５０は、着用時に幅方向Ｗの内側に向かう力が掛かった際に、股下域Ｓ３の吸収体に幅方向Ｗの内側に向かう力がかかると、吸収コア５０の低剛性領域５２が変形し、第２領域Ｒ２が幅方向Ｗの内側に移動する（図５（ａ）の矢印Ａ）。この低剛性領域５２の移動によって第２領域Ｒ２が移動できる最大長さは、低剛性領域５２の幅方向Ｗの長さとなる。幅狭部５２Ｎでは、前側に向かって幅方向Ｗの内側に入り込む長さが短くなり、低剛性領域５２の幅方向Ｗの長さを確保し易い。よって、第３領域Ｒ３において広い範囲で吸収コア５０によって身体を覆うことができ、第３領域Ｒ３における漏れを抑制できる。
【００５１】
幅狭部５２Ｎの内側縁は、後側から前側に向かって幅方向Ｗの外側に延びてよい。低剛性領域５２を基点に吸収コア５０が変形した際に、低剛性領域５２によって挟まれた第１領域の幅は、前側に向かって長くなる。折り目ＦＬから前側に向かって立ち上がる吸収コア５０の幅方向Ｗの長さが長くなり、腹部を覆うカップ形状をより形成し易くなる。
【００５２】
低剛性領域５２は、吸収コア５０に形成されたスリットであってよい。吸収コア５０は、着用時に幅方向Ｗの内側に向かう力が掛かった際にスリットによって幅方向Ｗの内側に入り込むことができる。幅方向Ｗの内側に入り込む長さは、第３領域Ｒ３が短く、第４領域Ｒ４が長くなる。よって、折り目ＦＬから前側に向かって立ち上がる吸収コア５０の幅方向Ｗの長さが長くなり、腹部を覆うカップ形状をより形成し易くなる。
【００５３】
吸収コア５０には、一対の低剛性領域５２の間において、前後方向の延びる中央スリットが形成されてよい。前後方向に沿った断面において、中央スリット５５の前端縁５５Ｆを基点に吸収コア５０が変形する。中央スリット５５の前端縁５５Ｆは、折り目ＦＬよりも後側に配置されており、折り目ＦＬよりも後側に折り目ＦＬの前端縁による変形基点が形成される。これにより、折り目ＦＬによる変形基点を安定させ、カップ形状を維持し易くなる。加えて、折り目ＦＬを境界とした第４領域Ｒ４に対する第３領域Ｒ３の立ち上がり角度が大きくなり易い。第４領域Ｒ４Ｒ４に対する第３領域Ｒ３の立ち上がり角度が大きくなることにより、折り目ＦＬによる変形基点を身体から離し、吸収性物品の収容空間を大きくすることができる。なお、中央スリットの前端縁は、折り目ＦＬの近くに位置することが好ましく、好適には、中央スリットの前端縁と折り目ＦＬとの距離は、３０ｍｍ以下であることが好ましい。
【００５４】
また、幅方向Ｗに沿った断面においては、低剛性領域５２によって挟まれた第１領域Ｒ１が中央スリット５５を基点に吸収コア５０が厚さ方向Ｔに変形する。より詳細には、着用時に幅方向Ｗの外側から内側に向かう力がかかった際に、図５（ａ）の矢印Ｃに示すように、第１領域Ｒ１の外側縁（低剛性領域５２）を起点として、第１領域Ｒ１の内側縁が肌面側に向かうように、吸収コア５０が変形し易い。これにより、吸収コア５０が身体にフィットし易い。加えて、吸収コア５０に引き込まれた体液は、低剛性領域５２及び中央スリット５５を介して前後方向Ｌに拡散し易く、吸収コア５０全体に亘って吸収容量を有効活用できる。
【００５５】
防漏ギャザーの起立部６１は、折り目ＦＬを跨ってよい。防漏弾性部材の収縮によって、折り目ＦＬを挟んだ第３領域Ｒ３と第４領域Ｒ４が身体側に近づくように変形し易い。よって前後方向に沿った断面における身体の丸みに沿って吸収コア５０を配置し易い。また、幅方向Ｗに間隔を空けて配置された防漏ギャザーの収縮によって、吸収コア５０が低剛性領域５２を基点に厚さ方向に変形し、当該変形した部分を身体に近づけて配置できる。よって、幅方向Ｗに沿った断面における身体の丸みに沿っても吸収コア５０を配置し易い。身体に対して吸収コア５０がよりフィットし、漏れを抑制できる。
【００５６】
防漏弾性部材６６は、低剛性領域５２よりも幅方向Ｗの外側において低剛性領域５２と厚さ方向Ｔにおいて重なってよい。低剛性領域５２よりも幅方向Ｗの外側の吸収コア５０は、防漏弾性部材６６の収縮によって幅方向Ｗの内側かつ肌面側に引っ張られる。幅方向Ｗに沿う断面における身体の丸みに沿うように吸収コア５０を配置でき、よりフィット性を向上できる。また、第２領域Ｒ２は、防漏弾性部材の収縮によって低第１領域Ｒ１に対して肌面側Ｔ１かつ幅方向Ｗの内側に移動し易くなる。吸収パッドを装着した場合、吸収パッドを身体に押し当てやすくなる。
【００５７】
吸収性物品の伸長状態において、第２基点部６２ｂは、起立部６１よりも前側において起立部の外側縁よりも幅方向Ｗの内側に位置してよい。防漏弾性部材の収縮によって起立部の外側縁は、肌面側に引っ張れるとともに、起立支点となる基点部側に向かって幅方向Ｗの内側に引っ張られる。よって、吸収コア５０の外側部が肌面側かつ幅方向Ｗの内側により配置され易くなる。
【００５８】
図１に示すように、脚回り弾性部材６７は、折り目ＦＬを跨っており、脚回り弾性部材６７の前端縁６７Ｆは、防漏弾性部材６６の前端縁６６Ｆよりも後側に位置してよい。脚回り弾性部材６７の収縮によって、折り目ＦＬを挟んだ第３領域Ｒ３と第４領域Ｒ４が身体側に近づくように変形し易い。よって、前後方向に沿った断面における身体の丸みに沿って吸収コア５０を配置し易い。
【００５９】
また、脚回り弾性部材６７の前端縁６７Ｆが防漏弾性部材６６の前端縁６６Ｆよりも後側に位置するため、幅方向Ｗに沿う断面において、防漏弾性部材６６の収縮力が生じずに脚回り弾性部材６７の収縮力のみが生じる領域が発生しない。そのため、脚回り弾性部材６７の収縮によって防漏弾性部材６６が配置された領域が相対的に身体から離れることを抑制できる。防漏弾性部材６６が身体にフィットし、当該防漏弾性部材を基点として身体から離れる方向に膨らむカップ形状を形成できる。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００６１】
１０    ：吸収性物品
１０ＣＬ  ：物品中心
５０    ：吸収コア
５２    ：低剛性領域
５２Ｆ    ：低剛性領域の前端縁
５２Ｒ    ：低剛性領域の後端縁
５２Ｎ    ：幅狭部
５２Ｗ    ：幅広部
５５    ：中央スリット
５５Ｆ    ：中央スリットの前端縁
６７      ：脚回り弾性部材
Ｒ１      ：第１領域
Ｒ２      ：第２領域
Ｒ３      ：第３領域
Ｒ４      ：第４領域
Ｓ１    ：前側域
Ｓ２    ：後側域
Ｓ３    ：股下域
Ｌ      ：前後方向
Ｔ      ：厚さ方向
Ｔ１    ：肌面側  
Ｔ２    ：非肌面側
Ｗ      ：幅方向
【図１】
2020010851.tif 000003
【図２】
2020010851.tif 000004
【図３】
2020010851.tif 000005
【図４】
2020010851.tif 000006
【図５】
2020010851.tif 000007
【図６】
2020010851.tif 000008